(57)【特許請求の範囲】
【請求項１】
一次ブッシング取付用ポケットの底板に開設された取付孔にガスケットを介し外側から挿通して取着される一次ブッシングの碍子本体と前記底板との間に前記ガスケットを覆うようにして嵌着される柱上変圧器一次ブッシングのガスケット補助パッキングであって、
両端面が開放すると共に外周の一個所で分断され前記ガスケットに被着される環状の弾性枠体と、前記弾性枠体の内周面に周設され前記一次ブッシング取付用ポケットの底板の外面に圧接するように先端縁が該弾性枠体の一端縁より食み出した独立気泡の合成ゴムからなるスポンジ状の封止材と、前記弾性枠体に設けられ該弾性枠体の内径寸法を縮ませて保持できる締止手段とからなり、前記ガスケットがその周囲を前記底板と前記封止材と前記碍子本体との間で密封状に囲われるようにしたことを特徴とする柱上変圧器一次ブッシングのガスケット補助パッキング。
【請求項２】
前記締止手段は、前記分断された弾性枠体の一方に多くの櫛歯を列設し他方にそれらのいずれかの櫛歯と噛合し得る一個の歯を設けたインシュロック機構である請求項１記載の柱上変圧器一次ブッシングのガスケット補助パッキング。
【発明の詳細な説明】
【技術分野】
【０００１】
本発明は、電柱上に設置される変圧器を移動又は載せ替える際に、取付孔の周囲に詰められた一次ブッシングのガスケットが破損していたとしても、前記取付孔から内部に貯留された絶縁油が外部に漏れ出て周囲に飛散するのを防ぐ柱上変圧器一次ブッシングのガスケット補助パッキング（以下、単に「ガスケット補助パッキング」という。）に関するものである。
【背景技術】
【０００２】
一般に、電柱上に設置される変圧器は、高圧線から分岐されたリード線を一次ブッシングに接続し、該一次ブッシングを介して変圧器内部のコイルに接続するようにしている。この一次ブッシングには、碍子本体の基端側に漏油を防止するためのガスケットが嵌着される。一方、変圧器側には一次ブッシングを挿通して固定するための取付孔が開設される。そして、前記取付孔にガスケットを介してその外側から挿通し、固定金具によって固定することにより一次ブッシングを取着している（例えば、特許文献１参照。）。
【特許文献１】特開平０８−３３５４１５号公報（第４頁段落００２５〜００３１、図１）
【発明の開示】
【発明が解決しようとする課題】
【０００３】
しかしながら、前記ガスケットはコルク材からなりドーナツ板状に成形されており、例えば外部に露出している部分がその外部から衝撃などを受けた場合、ガスケットに亀裂が入る可能性が考えられる。ところで、例えば電柱の建柱場所を変更したり変圧器を容量の大きいものに切替える場合は、既設の変圧器を一旦地上に降ろして作業するようにしている。
【０００４】
仮に、ガスケットに亀裂が生じたとすると、変圧器の移動または載せ替え工事に際し該変圧器が傾いたときに、その中に貯留されていた絶縁油が前記取付孔を介して一次ブッシングや変圧器の外周面に漏れ出て周囲に飛散することになる。このように、絶縁油が一次ブッシングや変圧器の外周面に漏れ出て周囲に飛散すると、作業者の手や作業服を汚すばかりか地面に流れ出るなど衛生・環境上好ましいことではない。また、これに伴い一次ブッシングや変圧器の外周面に付着した絶縁油を綺麗に拭き取るといった余分な作業を強いられるという課題がある。
【０００５】
そこで、本発明は上記課題を解決すべくなされたもので、既設の変圧器の移動または載せ替え工事に際し該変圧器が傾き一次ブッシングの取付孔から絶縁油が漏れ出たとしても、該絶縁油が周囲に飛散するのを防止して作業服や地面を汚すようなことがなく、また、絶縁油の余分な拭き取り作業を省いて作業性の向上を図ることができるガスケット補助パッキングを提供することを目的とするものである。
【課題を解決するための手段】
【０００６】
かかる目的を達成するため本発明のガスケット補助パッキングは、一次ブッシング取付用ポケットの底板に開設された取付孔にガスケットを介し外側から挿通して取着される一次ブッシングの碍子本体と前記底板との間に前記ガスケットを覆うようにして嵌着される柱上変圧器一次ブッシングのガスケット補助パッキングであって、両端面が開放すると共に外周の一個所で分断され前記ガスケットに被着される環状の弾性枠体と、前記弾性枠体の内周面に周設され前記一次ブッシング取付用ポケットの底板の外面に圧接するように先端縁が該弾性枠体の一端縁より食み出した独立気泡の合成ゴムからなるスポンジ状の封止材と、前記弾性枠体に設けられ該弾性枠体の内径寸法を縮ませて保持できる締止手段とからなり、前記ガスケットがその周囲を前記底板と前記封止材と前記碍子本体との間で密封状に囲われるようにしたことを特徴とする。
【０００７】
前記締止手段は、例えば、分断された弾性枠体の一方に多くの櫛歯を列設し他方にそれらのいずれかの櫛歯と噛合し得る一個の歯を設けたインシュロック機構であることが好ましい。
【発明の効果】
【０００８】
本発明に係るガスケット補助パッキングは、外周の一個所で分断されると共に締止手段を設けた環状の弾性枠体を変圧器の一次ブッシングのガスケットに被着して該ガスケットを完全に保護するようにしたので、たとえガスケットに亀裂が入ったとしても、既設の変圧器の移動または載せ替え工事に際して該変圧器が傾いたとき、一次ブッシングの取付孔から漏れ出る絶縁油は封止材内に閉じ込められ周囲に飛散することはない。よって、作業者の作業服や地面を絶縁油によって汚すようなことはなく衛生・環境上好ましい。また、一次ブッシングや変圧器外周面に付着した絶縁油を拭き取るといった余分な作業も省かれ、作業性の向上を図ることができるという効果を有する。
【０００９】
締止手段を、分断された弾性枠体の一方に多くの櫛歯を列設し他方にそれらのいずれかの櫛歯と噛合し得る一個の歯を設けたインシュロック機構にすれば、操作性が良く弾性枠体の締止作業が簡単に行なえ作業性に優れるという効果がある。
【発明を実施するための最良の形態】
【００１０】
以下、本発明に係るガスケット補助パッキングの実施の形態を図面に基づき説明する。図１はガスケット補助パッキングの背面側から見た斜視図、図２は同正面断面図、図３は同側面断面図をそれぞれ示す。ガスケット補助パッキングＡは、後記する一次ブッシング２１に嵌着する弾性枠体１と、該弾性枠体１の一端側（前側）の内周面７に貼り合せて取着される封止材２と、前記弾性枠体１に設けられる締止手段としてのインシュロック機構３とからなる。
【００１１】
弾性枠体１は、例えば、難燃性のＡＣＳ樹脂からなり弾力性があって、両端（前後端）面が開放した短筒状に成形され、その外周の一個所が前後方向に沿って分断されて切除部４を有する。そして、図２に示すように正面がほぼ円形状をなし、全体を周囲から押し窄めることによりその内径寸法を自在に縮ませることができるようになっている。一端側部（前側部）１ａの内径が他端側部（後側部）１ｂの内径よりもやや大きく設定される。そして、他端側部１ｂの外周面の周囲に前後方向に沿って補強用かつ滑り止め用の複数本のリブ５ａが突設され、切除部４と対向する部位には前後方向に沿って複数本の凹溝５ｂが凹設される。これら凹溝５ｂは薄肉部を成形することになって弾性枠体１がうまく開くようにするためであり、これによりガスケット補助パッキングＡが一次ブッシング２１に嵌着し易くなる。また、他端側部１ｂの後端縁に、一定の間隔離して内側へ折曲する係止片６が複数設けられる。これら係止片６は、後記する碍子本体２３の外周面に成形された波型のひだ２５内に嵌り込むようにその長さが設定される。
【００１２】
前記封止材２は発泡させた独立気泡の合成ゴムからなり、スポンジ状かつ帯状に成形されると共に所定の厚みと幅を有し、弾性枠体１の一端側部１ａの内周面７に貼着される。この際、封止材２の先端縁２ａは前記一端側部１ａの一端縁（前端縁）８より前方へ食み出るようになっている。そして、この食み出し部分２ｂが、後記する一次ブッシング取付用ポケット２０の底板２０ａの外面に圧接されることになる。また、封止材２の長手方向に沿った両端面２ｃ，２ｃは、先端縁２ａ側が塞ぐハの字状となるように傾斜している。更に、封止材２の長手方向に沿った一方の先端に、可動部材１３が一体に取着される。該可動部材１３は、断面がコ字型に成形され前記弾性枠体１における一端側部１ａの一端縁８に嵌り、該一端縁８に沿って自在に摺動するようになっている。このため、可動部材１３が摺動する範囲だけは、封止材２が一端側部１ａの内周面７に貼着されてない。これは、一次ブッシング２１も規格によってその外径が異なっている関係上、それら径の異なるいずれの一次ブッシング２１にあっても封止材２の前記両端面２ｃ，２ｃが常に圧接するようにして、絶縁油の漏れ出るのを完全に防止するためである。
【００１３】
弾性枠体１の切除部４を挟みその両側に、インシュロック機構３が設けられる。該インシュロック機構３は、雌型溝部９と該雌型溝部９に挿入される雄型突部１１とからなる。すなわち、切除部４の一方の外側に、切除部４側で開放する雌型溝部９を成形する段状部１０が設けられる。また、雌型溝部９の内壁面の片側に、複数の櫛歯９ａがその長手方向に沿って成形される。一方、弾性枠体１の切除部４を挟んだ他方には、雌型溝部９側へ向かって雄型突部１１が延設され、その外面に前記いずれかの櫛歯９ａと噛合し得る歯１１ａが突設される。
【００１４】
前記インシュロック機構とは、一部材内を他部材が一方向には移動できるが、逆方向には移動することができない機構をいう。そして、前記櫛歯９ａと歯１１ａは、雌型溝部９内に雄型突部１１を挿入することはできるが、逆に、雄型突部１１を雌型溝部９内から引き抜くことはできないようにその歯型が選ばれる。ただ、段状部１０も弾性を有し、該段状部１０を弾性枠体１から離すように撓ませることで、前記櫛歯９ａと歯１１ａとの噛合が外れるようになっている。１２ａ，１２ｂは、弾性枠体１及び段状部１０の外面に突設され、雌型溝部９内に雄型突部１１を挿入すべく弾性枠体１を操作する時に使用する摘み片である。また、段状部１０の外周面にも、摘み片１２ａから所定の間隔離してリブ５ａが設けられている。その間に、指（この場合、親指）が添えられる。
【００１５】
本発明に係るガスケット補助パッキングＡは上記構成からなる。次に、柱上の変圧器Ｂについて説明する。図４は一次ブッシングを取り外した状態の変圧器の斜視図、図５は一次ブッシングを取着した状態の変圧器の斜視図、図６は一次ブッシング部位の側面断面図、図７は図６のＸ−Ｘ線断面図である。変圧器Ｂの外周面に、側壁を外側へ突出させた一次ブッシング取付用ポケット２０が設けられる。この一次ブッシング取付用ポケット２０は内部と連通しており、その底板２０ａに一次ブッシング２１が外側から挿通して取着される取付孔２２が開設される。この際、変圧器Ｂ内に充填される絶縁油Ｗの油面Ｗ１は、一次ブッシング取付用ポケット２０の僅か下方まで達している。
【００１６】
一次ブッシング２１は、細径の基端側部２３ａと太径の先端側部２３ｂとを有する碍子本体２３からなり、内部に中心導体（図示せず。）が挿通されている。また、基端側部２３ａの外周面に一条の環状凹部２４が周設され、先端側部２３ｂの外周面にその中心軸線に対し直交する多数の波型のひだ２５が周設されている。また、碍子本体２３の先端側部２３ｂには、高圧線（図示せず。）から分岐したリード線２６が締付ナット２７によって中心導体に接続されており、この部分が充電部となる。このリード線２６と充電部となる先端側部２３ｂには、保護カバー２８が被着される。因みに、前記基端側部２３ａから引出される配線は、変圧器Ｂ内のコイル（図示せず。）に接続されることになる。
【００１７】
そして、通常は碍子本体２３の基端側部２３ａにコルク材からなるドーナッツ板状のガスケット２９を嵌合した状態で、その基端側部２３ａを取付孔２２に外側から挿通する。次いで、一次ブッシング取付用ポケット２０内で、前記基端側部２３ａに金属製の固定金具３０を嵌める。該固定金具３０は、ドーナツ板状に成形されると共にその中心の通孔３１の内周縁に外側へ膨らむ断面弧状をなす環状受止部３２が周設され、外周部位には所定の位置に複数の螺子孔３３が開設される。そこで、基端側部２３ａの環状凹部２４に該環状凹部２４にほぼ合致するコイルバネ３４を嵌め込み、各螺子孔３３に螺子３５を螺入する。そして、各螺子３５の巻き締めと共に固定金具３０が底板２０ａから徐々に離れるようになり、また、環状凹部２４に嵌っているコイルバネ３４に環状受止部３２が裏から当接して押動するので、一次ブッシング２１が一次ブッシング取付用ポケット２０内へ引っ張られて固定される。この際、前記取付孔２２の外側の周囲はガスケット２９により塞がれ、本来、そこから絶縁油Ｗが外側へ漏れ出ることがないようになっている。
【００１８】
ところで、前記ガスケット２９は、外部に露出している部分がその外部から衝撃などを受けた場合、ガスケット２９に亀裂が入る可能性が考えられる。このような状態では、例えば電柱の建柱場所を変更したり既設の変圧器を容量の大きいものに切替える場合、該変圧器Ｂの移動または載せ替え工事を行なうことになるが、変圧器Ｂを一旦地上に降ろす際に該変圧器Ｂが傾いたとき、その内部の絶縁油Ｗが取付孔２２から外側へ漏れ出る心配がある。そこで、あらかじめ封止材２を底板２０ａの外側面に向けた状態で碍子本体２３にガスケット補助パッキングＡを嵌着する。そして、封止材２を底板２０ａの外側面に押し付け、両摘み片１２ａ，１２ｂに親指を宛がい弾性枠体１を窄めるようにして雌型溝部９内に雄型突部１１を挿入し、弾性枠体１をその内径寸法が極力小さくなるように縮ませて保持する。このとき、封止材２の両端面２ｃ，２ｃが隙間なく圧接され、弾性枠体１の各係止片６は碍子本体２３の波型のひだ２５内に嵌る。
【００１９】
これにより、ガスケット補助パッキングＡが、一次ブッシング２１にしっかりと固定され、しかも、封止材２の両端面２ｃ，２ｃが隙間なく圧接しかつ食み出し部分２ｂがガスケット２９の周囲を囲うと共に底板２０ａの外面に圧接する。また、先端側部２３ｂにおけるガスケット２９側の外周縁に封止材２が当接することになり、ガスケット２９がその周囲を底板２０ａと封止材２と碍子本体２３との間に密封状に囲われる。よって、たとえガスケット２９に亀裂が生じ前記のように変圧器Ｂが傾いたとき取付孔２２から絶縁油Ｗが漏れ出たとしても、その絶縁油Ｗは封止材２の内側で受け止められ外側にまで漏れ出るようなことはない。このため、絶縁油Ｗが周囲に飛散するのを防止でき作業服や地面を汚すようなことがなく、また、絶縁油Ｗの余分な拭き取り作業も省かれ作業性の向上を図ることができる。
【００２０】
そこで、既設の変圧器Ｂを一旦地上に降ろした状態で、ガスケット補助パッキングＡを外し、一次ブッシング２１の取付孔２２から絶縁油Ｗが漏れ出てなければ、そのまま該変圧器Ｂを続けて使用するようにする。また、仮に絶縁油Ｗが漏れ出ているようなことがあれば、一次ブッシング２１のガスケット２９を新しいものと交換するなどその変圧器Ｂの修復作業を行なうようにする。
【００２１】
本実施の形態では、締止手段としてインシュロック機構３を採用したが、この構成に限られることはなく、同じ目的が達成できれば他の構成であっても良いこと勿論である。
【図面の簡単な説明】
【００２２】
【図１】本発明に係るガスケット補助パッキングの背面側から見た斜視図。
【図２】同正面断面図。
【図３】同側面断面図。
【図４】一次ブッシングを取り外した状態の変圧器の斜視図。
【図５】一次ブッシングを取着した状態の変圧器の斜視図。
【図６】一次ブッシング部位の側面断面図。
【図７】図６のＸ−Ｘ線断面図。
【符号の説明】
【００２３】
１                弾性枠体
２                封止材
３                締止手段（インシュロック機構）
４                切除部
８                一端縁
９                雌型溝部
１１              雄型突部
２０              一次ブッシング取付用ポケット
２０ａ            底板
２１              一次ブッシング
２２              取付孔
２３              碍子本体
２９              ガスケット
Ａ                ガスケット補助パッキング
Ｂ                変圧器
【図１】
0004744952.tif 000002
【図２】
0004744952.tif 000003
【図３】
0004744952.tif 000004
【図４】
0004744952.tif 000005
【図５】
0004744952.tif 000006
【図６】
0004744952.tif 000007
【図７】
0004744952.tif 000008